(57)【要約】【課題】複数の記録層を持つ記録再生型光ディスクの記録再生時に、層間切換が発生した場合、次の記録層に移行し、光ディスク内の離散的に位置する複数のファイル・ディレクトリデータをメインメモリ上に展開するため、記録再生開始までに長時間かかってしまう。【解決手段】層間切換命令が発行されたとすると（Ｓ６）、次に移動する記録層０のボリューム構造及びファイルシステムが、現在リード・ライトを行っている記録層１に存在するかどうか判定する（Ｓ７）。次に移動する記録層０のボリューム・ファイル管理情報ファイルが存在するときは、そのボリューム構造及びファイルシステムをＲＡＭに読み込む（Ｓ８）。これにより、記録再生型光記録媒体のそれぞれの記録層でボリューム及びファイル管理方法が異なっていた場合でも、高速に記録層の切換を行うことができる。【選択図】図６
2007287233.tif 000002
【特許請求の範囲】
【請求項１】
積層された複数の記録層の物理フォーマットが異なり、各記録層には、その記録層の物理フォーマットに対応したボリューム及びファイル管理領域情報と、その記録層以外の他の記録層のボリューム及びファイル管理領域の情報ファイルが予め所定領域に記録されている記録再生型光記録媒体に対して、任意の情報をファイル形式で記録又は再生する記録再生装置であって、
前記複数の記録層のうちの記録又は再生しようとする任意の一つの記録層の物理フォーマットに対応した制御プログラムと、その記録層のボリューム及びファイル管理領域情報とを少なくとも格納する記憶手段と、
前記記憶手段から読み出した、前記制御プログラムとボリューム及びファイル管理領域情報とに基づいて、前記任意の一つの記録層の前記所定領域以外の領域に、任意の情報をその記録層の物理フォーマットに対応した所定のファイル形式で記録し、又は記録した任意の情報を再生する記録再生手段と、
前記記録再生手段による任意の第１の記録層の記録中又は再生中に、別の第２の記録層に対して前記任意の情報を記録又は再生する記録層切換時に、前記第１の記録層に記録されている前記第２の記録層の前記ボリューム及びファイル管理領域の情報ファイルを前記記憶手段に格納する第１の情報ファイル格納手段と
を有し、前記記録再生手段は、前記第１の情報ファイル格納手段により前記記憶手段に格納された前記第２の記録層の前記ボリューム及びファイル管理領域の情報ファイルと、前記第２の記録層の制御プログラムとに基づいて、前記第２の記録層の前記所定領域以外の領域に、任意の情報をその第２の記録層の物理フォーマットに対応した所定のファイル形式で記録し、又は記録した任意の情報を再生することを特徴とする記録再生装置。
【請求項２】
前記記録層切換時に、前記第１の記録層に記録されている該第１の記録層の物理フォーマットに対応したボリューム及びファイル管理領域情報を前記記憶手段に格納する第２の情報ファイル格納手段と、
前記記録層切換後の前記記録再生手段による前記第２の記録層の情報記録又は再生の直前に、前記記憶手段に格納されている各記録層の物理フォーマットに対応したボリューム及びファイル管理領域情報を前記第２の記録層に記録する記録手段と
を更に有することを特徴とする請求項１記載の記録再生装置。
【請求項３】
請求項１又は２記載の記録再生装置により情報の記録又は再生が行われる記録再生型光記録媒体であって、
積層された複数の記録層の物理フォーマットが異なり、各記録層には、その記録層の物理フォーマットに対応したボリューム及びファイル管理領域情報と、その記録層以外の他の記録層のボリューム及びファイル管理領域の情報ファイルが予め記録されている領域を有することを特徴とする記録再生型光記録媒体。
【発明の詳細な説明】
【技術分野】
【０００１】
本発明は記録再生装置及び記録再生型光記録媒体に係り、特に物理フォーマットが異なる複数の記録層を備えた記録再生型記録媒体と、その記録再生型記録媒体に対して動画像信号などの情報信号を記録し再生する記録再生装置に関する。
【背景技術】
【０００２】
従来、物理フォーマットが異なる複数の記録層が積層された記録再生型記録媒体として、ハイブリッドディスク、ツインディスクなどと呼ばれる光磁気ディスクが知られている。この種の光磁気ディスクでは、各記録層にボリューム及びファイル管理情報が記録されており、各記録層に動画像信号などの情報信号を記録し再生する際には、記録又は再生しようとする記録層に記録されているボリューム及びファイル管理情報を読み出してから、情報信号の記録又は再生を行う。
【０００３】
ここで、記録又は再生する記録層を、現在記録又は再生している記録層から次の記録層に移動するときに、次の記録層のボリューム及びファイル管理情報は次の記録層がアクティブになってから、次の記録層上から読み出すので、その分時間がかかる。
【０００４】
一方、ディスク媒体のアクセス時間の短縮方法として、２台の磁気ディスク装置を用意し、一方のディスク媒体のファイルをアクセスするときには、他方のディスク媒体に記録されている一方のディスク媒体のファイル管理情報を、その他方のディスク媒体のためのアクセスヘッドによって読み出し、読み出したファイル管理情報に基づいて、一方のディスク媒体のためのアクセスヘッドを移動させて、ファイルのアクセスを行う方法が従来知られている（例えば、特許文献１参照）。
【０００５】
【特許文献１】特開平７−３２６１４３号公報（第３頁）
【発明の開示】
【発明が解決しようとする課題】
【０００６】
しかしながら、上記の特許文献１記載のアクセス方法は、ディスク媒体が単層の磁気ディスクであり、複数の記録層を備えた記録再生型光ディスクにはそのままでは適用できず、仮に２つの記録再生型光ディスクの同じ記録層同士を記録又は再生するようにして、アクセス時間を短縮できたとしても、２台の記録再生装置が必要であり、また２つの記録再生型光ディスクが必要であり、高価な構成となり、装置全体も大型化してしまう。
【０００７】
他方、１台の記録再生装置で複数の記録層を持つ記録再生型光ディスクの記録再生を行う場合は、現在記録又は再生している記録層から次の記録層に移動する、２回目以降の層間切換が発生した時に、次の記録層に移行しメインメモリ（ＲＡＭ）内にファイルシステム情報の構築を行う際、その層へピックアップを移動し、光ディスク内の離散的に位置する複数のファイル・ディレクトリデータをメインメモリ上に展開するため、ハードディスク等に比べ長い時間がかかり、次の記録層に対して情報信号の記録／再生が開始できるまでに、長時間かかってしまう。
【０００８】
本発明は以上の点に鑑みなされたもので、物理フォーマットが異なる複数の記録層が積層された記録再生型光記録媒体の層間切換が発生した場合に、次の記録層に対して動画像などの情報信号を迅速に記録又は再生開始し得る記録再生装置及び記録再生型光記録媒体を提供することを目的とする。
【課題を解決するための手段】
【０００９】
上記の目的を達成するため、本発明の記録再生装置は、積層された複数の記録層の物理フォーマットが異なり、各記録層には、その記録層の物理フォーマットに対応したボリューム及びファイル管理領域情報と、その記録層以外の他の記録層のボリューム及びファイル管理領域の情報ファイルが予め所定領域に記録されている記録再生型光記録媒体に対して、任意の情報をファイル形式で記録又は再生する記録再生装置であって、複数の記録層のうちの記録又は再生しようとする任意の一つの記録層の物理フォーマットに対応した制御プログラムと、その記録層のボリューム及びファイル管理領域情報とを少なくとも格納する記憶手段と、記憶手段から読み出した、制御プログラムとボリューム及びファイル管理領域情報とに基づいて、任意の一つの記録層の所定領域以外の領域に、任意の情報をその記録層の物理フォーマットに対応した所定のファイル形式で記録し、又は記録した任意の情報を再生する記録再生手段と、記録再生手段による任意の第１の記録層の記録中又は再生中に、別の第２の記録層に対して任意の情報を記録又は再生する記録層切換時に、第１の記録層に記録されている第２の記録層のボリューム及びファイル管理領域の情報ファイルを記憶手段に格納する第１の情報ファイル格納手段とを有し、記録再生手段は、第１の情報ファイル格納手段により記憶手段に格納された第２の記録層のボリューム及びファイル管理領域の情報ファイルと、第２の記録層の制御プログラムとに基づいて、第２の記録層の所定領域以外の領域に、任意の情報をその第２の記録層の物理フォーマットに対応した所定のファイル形式で記録し、又は記録した任意の情報を再生することを特徴とする。
【００１０】
この発明では、１台の記録再生装置で複数の物理フォーマットの記録層を持つ記録再生型光記録媒体に任意の情報を記録再生する際に、第１の記録層から第２の記録層への記録層切換が発生した場合は、第２の記録層に移動してから離散的に記録されているボリューム・ファイル管理情報を読み込むのではなく、移動直前の現在記録／再生している第１の記録層から次に移動する第２の記録層のボリューム・ファイル管理情報を読み込むことができる。
【００１１】
また、上記の目的を達成するため、本発明の記録再生装置は、記録層切換時に、第１の記録層に記録されている第１の記録層の物理フォーマットに対応したボリューム及びファイル管理領域情報を記憶手段に格納する第２の情報ファイル格納手段と、記録層切換後の記録再生手段による第２の記録層の情報記録又は再生の直前に、記憶手段に格納されている各記録層の物理フォーマットに対応したボリューム及びファイル管理領域情報を第２の記録層に記録する記録手段とを更に有することを特徴とする。
【００１２】
この発明では、第１の記録層から第２の記録層への記録層切換が発生した場合は、それまで記録又は再生していた第１の記録層のボリューム及びファイル管理領域情報を含む、記憶手段に格納されている最新のボリューム及びファイル管理領域情報を第２の記録層に記録することができる。
【００１３】
また、上記の目的を達成するため、本発明の記録再生型光記録媒体は、上記の発明の記録再生装置により情報の記録又は再生が行われる記録再生型光記録媒体であって、積層された複数の記録層の物理フォーマットが異なり、各記録層には、その記録層の物理フォーマットに対応したボリューム及びファイル管理領域情報と、その記録層以外の他の記録層のボリューム及びファイル管理領域の情報ファイルが予め記録されている領域を有することを特徴とする。この発明では、第１又は第２の発明の記録再生装置で使用可能な最適な記録再生型光記録媒体を提供できる。
【発明の効果】
【００１４】
本発明によれば、第１の記録層から第２の記録層への記録層切換が発生した場合は、第２の記録層に移動してから離散的に記録されているボリューム・ファイル管理情報を読み込むのではなく、移動直前の現在記録／再生している第１の記録層から次に移動する第２の記録層のボリューム・ファイル管理情報を読み込むようにしているので、記録再生型光記録媒体のそれぞれの記録層でボリューム及びファイル管理方法が異なっていた場合でも、高速に記録層の切換を行うことができる。
【発明を実施するための最良の形態】
【００１５】
次に、本発明の一実施の形態について図面と共に説明する。図１は本発明になる記録再生型光記録媒体の一実施の形態の概略構成図を示す。この実施の形態の光記録媒体は、図１に示すように、ｍ＋１層（ｍは２以上の自然数）の記録層１−０〜１−ｍが積層された記録再生型（書き換え型）光磁気ディスクであり、記録又は再生用のレーザ光は、第１層の記録層１−０の底面２から入射する。また、最上位層の記録層１−ｍの上面はレーベル面３とされる。
【００１６】
これら記録層１−０〜１−ｍの各々には、互いの物理フォーマットが異なり、また、ユーザーデータが記録される領域とは異なり、かつ、ユーザーにより書き換えられない領域に、ファイル管理情報として、図２のようなファイルシステム５とボリューム構造６とがそれぞれ記録されている。ここで、図２に示した記録層のボリューム構造６の一例を表１に示す。
【００１７】
【表１】
2007287233.tif 000003
【００１８】
表１はＤＶＤ（Digital Versatile Disc）、Ｂｌｕ−ｒａｙ  Ｄｉｓｃ等の記録再生型光磁気ディスクで広く採用されているＵＤＦ(Universal Disc Format)のボリューム構造の例である。表１に示すように、ボリューム構造（Volume Structure）６は、拡張領域先頭記述子(Beginning Extended Area Descriptor)から拡張領域終端記述子(Terminating Extended Area Descriptor)までのボリュームレコグニション列(Volume Recognition Sequence)と、基本ボリューム記述子(Primary Volume Descriptor)からトレーリング論理セクタ（Trailing Logical Sectors）までの主ボリューム記述子列(Main Volume Descriptor Sequence)と、論理ボリューム保全記述子(Logical Volume Integrity Descriptor)からトレーリング論理セクタ（Trailing Logical Sectors）までの論理ボリューム保全列(Logical Volume Integrity Sequence)と、開始ボリューム記述子ポインタ(Anchor Volume Descriptor Pointer)を記述子とする第一開始ポイント(First Anchor Point)と予備領域とから構成される。
【００１９】
図１に示した多層構造の記録再生型（書き換え型）光磁気ディスクの各記録層に、図２に示したファイルシステム５及びボリューム構造６が所定位置に記録されていること自体は、従来から知られているが、本発明では、ファイルシステム５にそれが記録される記録層以外の他の記録層のボリューム及びファイル管理領域の情報が記録されている点に特徴がある。
【００２０】
図３は本発明になる記録再生型光記録媒体の一実施の形態におけるある記録層に記録されているファイルシステムの構造を示す。図３はＤＶＤのファイルシステムの構造を示しており、映像、音声、メタデータなどの情報ファイルは全てＤＶＤ＿ＲＴＡＶディレクトリの下に存在する。また、ルート(root)ディレクトリの直下に、本実施の形態では、自分以外の記録層のボリューム情報とファイル管理領域の情報が書かれたボリューム・ファイル管理情報ファイル「FORMAT_LAYERx.FSV」が存在する点に特徴がある。
【００２１】
ここで、上記のｘは記録層の位置を示しており、”０”が最もピックアップに近い側のレーザ光入射側の記録層を示し、”ｍ”が最もピックアップから遠い位置にある記録層を示している。そして、図３ではｘが”１”のファイル「FORMAT_LAYER１.FSV」が存在しておらず、図３のファイルシステム５は光入射側から２番目の記録層に記録されることを示している。ファイル「FORMAT_LAYERx.FSV」は、自分以外の記録層のボリューム情報とファイル管理領域の情報が書かれるからである。また、このファイルシステム５が記録される多層構造の記録再生型（書き換え型）光磁気ディスクは（ｍ＋１）層からなる。
【００２２】
なお、図２で示したファイルシステム５は、あくまでファイル管理情報を指しているのであり、映像、音声、メタデータなどの実データは含まれない。また、ボリューム・ファイル管理情報ファイル「FORMAT_LAYERx.FSV」には、ボリューム情報６がファイルとして書かれている（後述の図４も同様）。
【００２３】
図４は本発明になる記録再生型光記録媒体の一実施の形態における他の記録層に記録されているファイルシステムの構造を示す。図４はＢｌｕ−ｒａｙ Ｄｉｓｃのファイルシステムで、図３に示したＤＶＤのファイルシステムと同様に、ファイル管理情報は全てＢＤＡＶ又はＢＤＡＶｎの下にある。図２に示すファイルシステム５の情報はＤＶＤのファイルシステムと同様に実データは含まれない。
【００２４】
そして、図４の例では、それぞれのｒｏｏｔディレクトリの直下に自分以外の記録層のボリューム情報とファイル管理領域の情報が書かれたボリューム・ファイル管理情報ファイル「FORMAT_LAYERx.FSV」が記録層−１個分存在する。図４のファイルシステム５は「FORMAT_LAYER0.FSV」が存在しないので、光入射側に最も近い第１層記録層に記録されることを示している。ファイル「FORMAT_LAYERx.FSV」は、自分以外の記録層のボリューム情報とファイル管理領域の情報が書かれるからである。また、このファイルシステム５が記録される多層構造の記録再生型（書き換え型）光磁気ディスクは（ｍ＋１）層からなる。なお、図３及び図４において、白い四角で示したファイルディレクトリ（ボリュームとファイル情報）は、すべて自分の記録層のファイルディレクトリである。
【００２５】
図５は本発明になる記録再生装置の一実施の形態のブロック図を示す。同図において、記録再生装置は、ＡＤ／ＤＡ及びコーデック（ＣＯＤＥＣ）１１と、ＩＥＥＥ１３９４規格のインタフェースを持つ１３９４コントローラ１２と、中央処理装置（ＣＰＵ）１３と、リード・オンリ・メモリ（ＲＯＭ）１４と、ランダム・アクセス・メモリ（ＲＡＭ）１５と、ＡＴＡＰＩ（ATA Packet Interface）等の所定の規格のインタフェース回路１６とが、双方向のデータバス１８を介して互いに接続されており、更にインタフェース回路１６は光ディスクドライバ１７に接続されている。この実施の形態は、後述するように、ＲＡＭ１５の構成に特徴がある。
【００２６】
ＡＤ／ＤＡ及びＣＯＤＥＣ１１は、入力されたアナログ映像・音声信号をＡＤ変換してディジタル信号とし、更にこれをＭＰＥＧ２（Moving Picture Experts Group 2）やＤＶなどの所定の方式に基づいて圧縮符号化して符号化データ列であるストリームを生成して出力し、データバス１８を介してＲＡＭ１５に書き込む。また、ＡＤ／ＤＡ及びＣＯＤＥＣ１１は、データバス１８を介してＭＰＥＧ２やＤＶなどの所定の方式に基づいて圧縮符号化された符号化データストリームがＲＡＭ１５から入力され、これを復号した後、ＤＡ変換してアナログ映像・音声信号を生成して外部へ出力する。
【００２７】
１３９４コントローラ１２は、図示しない１３９４バスから入力されたＭＰＥＧ２やＤＶ規格のストリームを、ＡＤ／ＤＡ及びＣＯＤＥＣ１１と同様に、データバス１８を介してＲＡＭ１５に供給して書き込み、また、ＲＡＭ１５から出力されＭＰＥＧ２やＤＶ規格のストリームを外部の１３９４バスへ出力する。
【００２８】
ＣＰＵ１３は、ＣＰＵ１３を除く記録再生装置内の各ブロックのコントロール及びデータフローのコントロールを行う。ＲＯＭ１４は、光ディスクドライブ１７を除く記録再生装置内の各ブロックをコントロールするためのファームウェアや光ディスクドライブ１７に挿入される光磁気ディスク用のボリューム・ファイル管理領域制御プログラムなどが予め格納されており、必要に応じてＣＰＵ１３により読み出されて用いられる。
【００２９】
ＲＡＭ１５は、本実施の形態の要部をなすメモリで、制御用プログラム、プログラム用各種データ、圧縮されたストリームデータなどが書き込まれ、また読み出される。インタフェース回路１６は、ＣＰＵ１３からコントロールを受け、ＲＡＭ１５と光ディスクドライブ１７間でデータのやりとりを行う。
【００３０】
光ディスクドライブ１７は、圧縮されたストリームデータなどを、記録再生型の光磁気ディスクに記録し、また記録再生型の光磁気ディスクから再生するためのブロックである。データバス１８は、ＣＰＵ１３から出力されているデータバスで、記録再生装置内の各ブロック間でデータをやりとりするためのバスである。
【００３１】
次に、図５に示した本発明の記録再生装置の実施の形態の動作について、図６のフローチャート及び図７のメモリ内容の変遷の一例を示す図を併せ参照して説明する。まず、記録再生装置に図１に示した各記録層の互いの物理フォーマットが異なる多層構造の記録再生型（書き換え型）光磁気ディスクが挿入される（ステップＳ１）。ここでは、例えば、第１層がＢｌｕ−ｒａｙ Ｄｉｓｃの物理フォーマットの記録層で、第２層がＤＶＤの物理フォーマットの記録層からなるハイブリッドディスクを例にとって説明する。このディスクの挿入により、光ディスクドライブ１７が、挿入された光磁気ディスクの所定位置に記録されている記録管理情報を再生して、ＣＰＵ１３がメディアを判別し、ここではＤＶＤとＢｌｕ−ｒａｙ Ｄｉｓｃのハイブリッドディスクと認識する（ステップＳ２）。
【００３２】
続いて、ＣＰＵ１３は予め最初に記録再生対象とするように定められているデフォルトの記録層（例えば、第２層記録層１（これは図１の1-1に相当）とする）を選択し（ステップＳ３）、光ディスクドライブ１７によりその記録層の制御プログラム（ここでは、ＵＤＦ２.０１の制御プログラムとする）が実行され、ボリューム構造とファイルシステム（図３の白四角の部分）を読み出して、ＲＡＭ１５に読み込む（ステップＳ４）。これにより、例えば、ディスク制御部メモリであるＲＡＭ１５には、図７（Ａ）に示すように、ＵＤＦ２.０１の制御プログラム２１とＤＶＤのボリューム・ファイル管理情報２２とが格納される。なお、ＵＤＦ２.０１の制御プログラム２１は、ＲＯＭ１４から読み出されてＲＡＭ１５に格納される。
【００３３】
続いて、デフォルトの記録層に対して、通常ファイルの読み出し（リード）又は書き込み（ライト）が繰り返して行われる（ステップＳ５）。このとき、次に移動する記録層（例えば、第１層記録層０（これは図１の1-0に相当）とする）の層間切換命令が発行されたとすると（ステップＳ６）、次に移動する記録層（ここでは第１層記録層０）のボリューム構造及びファイルシステム「FORMAT_LAYERx.FSV」が、現在リード・ライトを行っている記録層１に存在するかどうか判定する（ステップＳ７）。
【００３４】
ここでは、現在リード・ライトを行っている記録層１には、図３に斜線を付して示したように、次に移動する記録層（ここでは第１層記録層０）のボリューム・ファイル管理情報ファイル「FORMAT_LAYER0.FSV」が存在するので、そのファイルから第１層記録層０のボリューム構造及びファイルシステム（ここでは、ＵＤＦ２.５０のボリューム・ファイル管理情報とする）をＲＡＭ１５に読み込む（ステップＳ８）。これにより、ＲＡＭ１５には、図７（Ｂ）に示すように、ＵＤＦ２.５０のボリューム・ファイル管理情報２３が、ＵＤＦ２.０１の制御プログラム２１及びＵＤＦ２.０１のボリューム・ファイル管理情報２２と共に書き込まれた状態になる。
【００３５】
続いて、ＣＰＵ１３はＲＡＭ１５から現在リード・ライトを行っている記録層１の制御プログラムを削除する（ステップＳ９）。これにより、ＲＡＭ１５は、図７（Ｃ）に示すように、記録層１の制御プログラムであるＵＤＦ２.０１の制御プログラム２１が削除され、ＵＤＦ２.０１のボリューム・ファイル管理情報２２とＵＤＦ２.５０のボリューム・ファイル管理情報２３とが引き続き記憶されている状態になる。
【００３６】
続いて、ＣＰＵ１３は次に移動する記録層（ここでは、第１層記録層０）の制御プログラム（ここでは、ＵＤＦ２.５０の制御プログラムであるものとする）をＲＯＭ１４から読み出してＲＡＭ１５に読み込む（ステップＳ１０）。これにより、ＲＡＭ１５は、図７（Ｄ）に示すように、記録層０の制御プログラムであるＵＤＦ２.５０の制御プログラム２４が、ＵＤＦ２.０１のボリューム・ファイル管理情報２２とＵＤＦ２.５０のボリューム・ファイル管理情報２３と共に記憶されている状態になる。
【００３７】
次に、ＣＰＵ１３は次に移動する記録層（ここでは、第１層記録層０）のボリューム構造及びファイルシステム「FORMAT_LAYER0.FSV」が、現在リード・ライトを行っている記録層１に存在するかどうか判定する（ステップＳ１１）。ここでは、現在リード・ライトを行っている記録層１には、図３に斜線を付して示したように、次に移動する第１層記録層０のボリューム構造及びファイルシステム「FORMAT_LAYER0.FSV」が存在するので、第１層記録層０のファイルシステム上にある図４に示した現在の第２層記録層１のボリューム構造及びファイルシステム「FORMAT_LAYER1.FSV」をアップデートする（ステップＳ１２）。
【００３８】
なお、次に移動する記録層のボリューム構造及びファイルシステムが、現在リード・ライトを行っている記録層に存在しないときは、次に移動する記録層のファイルシステム上に、現在リード・ライトを行っている記録層のボリューム・ファイル管理情報ファイルを作成する（ステップＳ１３）。
【００３９】
上記のステップＳ１２又はＳ１３の処理に続いて、ＣＰＵ１３はＲＡＭ１３より今までリード・ライトを行っていた第２層記録層１のボリューム・ファイル管理情報を削除する（ステップＳ１４）。これにより、ＲＡＭ１５は、図７（Ｅ）に示すように、記録層１のＵＤＦ２.０１のボリューム・ファイル管理情報２２が削除され、次に移動する記録層０のＵＤＦ２.５０制御プログラム２４とＵＤＦ２.５０のボリューム・ファイル管理情報２３とが引き続き記憶されている状態になる。続いて、光ディスクドライブ１７の第１層記録層０に対するリード・ライトの準備が終わると、ＣＰＵ１３の制御の下に、第１層記録層０に対して、通常ファイルのリード・ライトが開始される（ステップＳ１５）。
【００４０】
その後、任意の時点でディスクの取り出し要求が発生すると（ステップＳ１６）、今までリード・ライトを行っていた記録層０上の記録層０のボリューム・ファイル管理情報（図４の白四角で示す情報）をアップデートし（ステップＳ１７）、全ての記録層のファイル「FORMAT_LAYERx.FSV」（ただし、ｘは０乃至ｍの中の自層に存在する他層のボリューム・ファイル管理情報ファイルの番号）をそれぞれアップデート（又は新規に作成）する（ステップＳ１８）。最後に、光ディスクが装置の外へ排出される（ステップＳ１９）。
【００４１】
このように、本実施の形態によれば、１台の記録再生装置で複数の物理フォーマットの記録層を持つ記録再生型光ディスクに映像・音声信号を記録再生する際に、層間切換が発生した場合は、次の記録層に移動してから離散的に記録されているボリューム・ファイル管理情報を読み込むのではなく、移動直前の現在記録／再生している記録層から次に移動する記録層のボリューム・ファイル管理情報を読み込むようにしているので、光ディスクのそれぞれの記録層でボリューム及びファイル管理方法が異なっていた場合でも、高速に記録層の切換を行うことができる。
【００４２】
なお、本発明は上記の実施の形態に限定されるものではなく、例えば、光ディスクが記録再生装置に挿入されてから、初めて切換先の記録層にアクセスするときは、現在の記録層にある切換先の記録層のボリューム及びファイル管理情報を利用しないようにしてもよい。
【図面の簡単な説明】
【００４３】
【図１】本発明の記録再生型光記録媒体の一実施の形態の概略構成図である。
【図２】本発明の記録再生型光記録媒体の各記録層に記録されているボリューム及びファイル管理情報ファイルの説明図である。
【図３】本発明の記録再生型光記録媒体の一実施の形態におけるある記録層に記録されているファイルシステムの構造を示す図である。
【図４】本発明の記録再生型光記録媒体の一実施の形態における他の記録層に記録されているファイルシステムの構造を示す図である。
【図５】本発明の記録再生装置の一実施の形態のブロック図である。
【図６】図１の動作説明用フローチャートである。
【００４４】
【図７】本発明の記録再生装置におけるメモリの記憶情報の遷移を説明する図である。
【符号の説明】
【００４５】
１−０〜１−ｍ  記録層
２  光入射面である第１層記録層の底面
３  レーベル面
５  ファイルシステム
６  ボリューム構造
１１  ＡＤ／ＤＡ及びＣＯＤＥＣ
１２  １３９４コントローラ
１３  中央処理装置（ＣＰＵ）
１４  リード・オンリ・メモリ（ＲＯＭ）
１５  ランダム・アクセス・メモリ（ＲＡＭ）
１６  インタフェース回路
１７  光ディスクドライブ
１８  データバス
【図１】
2007287233.tif 000004
【図２】
2007287233.tif 000005
【図３】
2007287233.tif 000006
【図４】
2007287233.tif 000007
【図５】
2007287233.tif 000008
【図６】
2007287233.tif 000009
【図７】
2007287233.tif 000010